(57)【特許請求の範囲】
【請求項１】
巻きハゼ部で隣接する長尺金属板を連結して形成している既設折版屋根の上面に、吊子を備えた吊子金具を装着し、新設用のカバー屋根板を前記吊子に巻締めして補修折版屋根を構築する折版屋根補修工法において、
既設折版屋根長の数分割に対応した長さに形成したカバー屋根板で、既設折版屋根の軒先側から棟側に向かって順次前記カバー屋根板を、端部が重さなるように階段状に屋根葺きを行うものであって、
下段側の補修屋根を葺いて下段側の補修屋根の巻きハゼ部を形成した後、前記下段側の補修屋根と上段側の補修屋根とが軒棟方向に重なる重なり位置にある前記下段側の補修屋根の巻きハゼ部に対して、第一の吊子金具を装着し、前記重なり位置よりも棟側にある既設屋根の巻きハゼ部に、前記上段側の補修屋根の補修高さに対応する高さの第二の吊子金具を装着し、前記第一の吊子金具と第二の吊子金具に上段側の補修屋根を巻締し、上段側の補修屋根を葺いた後、上段側の補修屋根の軒先側開口部に雨止め面戸を装着してなることを特徴とする折版屋根補修工法。
【請求項２】
下段側の屋根葺き終了後に当該下段側の補修屋根の後端部に雨返し面戸を装着し、その後に、上段側の屋根葺きを行ってなる請求項１記載の折版屋根補修工法。
【請求項３】
巻きハゼ部で隣接する長尺金属板を連結して形成している既設折版屋根の上面に、吊子を備えた吊子金具が装着され、補修用のカバー屋根板を前記吊子に巻締めされて補修折版屋根が構築されている折版屋根補修構造において、
既設折版屋根長の数分割に対応した長さに形成した分割カバー屋根板で、既設折版屋根の軒先側から棟側に、下段側の補修屋根に上段側の補修屋根が段状に葺かれて軒棟方向に重なる重なり位置が形成され、前記重なり位置にある下段側の補修屋根の巻きハゼ部に、第一の吊子金具が装着され、前記重なり位置よりも棟側にある既設屋根の巻きハゼ部に、上段側の補修屋根の補修高さの第二の吊子金具が装着され、前記第一の吊子金具と第二の吊子金具に上段側の補修屋根板が巻締めされ、前記重なり部分の上段側の補修屋根の軒先側開口部に雨止め面戸が装着されていることを特徴とする折版屋根補修構造。
【請求項４】
上下段の補修屋根の重なり部分における下段側の補修屋根の後端と上段側の補修屋根の裏面との間に、雨返し面戸が装着されている請求項３記載の折版屋根補修構造。
【発明の詳細な説明】
【技術分野】
【０００１】
本発明は、既設折版屋根の上面を覆うように補修用のカバー折版屋根を葺く補修工法及び補修構造に関するものである。
【背景技術】
【０００２】
既設折版屋根のリフォームは、既存の折版屋根板を撤去し、新規な屋根板で葺き直しすることも可能であるが、既設屋根板の撤去作業や撤去物の廃棄作業等煩瑣であるので、既設屋根をそのままにして、カバー屋根板で覆うように屋根葺きを行っている。
【０００３】
特にハゼ部で連結する折版屋根においては、断熱屋根・防音屋根の構築手段として採用されている二重屋根構造（特許文献１参照）と同様に、下層屋根を既設屋根に見立て、既設屋根のハゼ部に吊子を備えた吊子金具を装着し、当該吊子金具に新設屋根板を上層屋根として葺く補修工法が採用されている（特許文献２）。
【先行技術文献】
【特許文献】
【０００４】
【特許文献１】特開平９−１８４２５７号公報
【特許文献２】特開２００９−３５９１９号公報。
【発明の概要】
【発明が解決しようとする課題】
【０００５】
ハゼ連結の折版屋根の補修は、上記の通りハゼ部を挟持する屋根装着部を備えた金具本体に吊子を付設した吊子金具を、補修対象の既設折版屋根のハゼ部に装着し、所定の働き幅を備え両側端にハゼ代を有して、既設屋根の屋根長（棟から軒先）に応じた長尺金属板（カバー屋根板）を、既設屋根上に隣接配置し、ハゼ代部分を吊子に巻締しながらハゼ部を形成して連結し、屋根葺きを行うものである。
【０００６】
前記のカバー屋根板（長尺金属板）は、補修する屋根の長さに対応したものが使用されるため、建物によっては１５ｍ以上の長いものが使用される。このため工事現場までの長尺金属板の運搬、並びに補修構築のための屋根上への持ち上げ、隣接配置、ハゼ締め加工などの作業が非常に煩瑣となる。
【０００７】
そこで本発明は、屋根長が長い建物の補修作業を簡素化する新規な折版屋根の補修工法
及び補修構造を提案したものである。
【課題を解決するための手段】
【０００８】
本発明に係る折版屋根補修工法は、巻きハゼ部で隣接する長尺金属板を連結して形成している既設折版屋根の上面に、吊子を備えた吊子金具を装着し、新設用のカバー屋根板を前記吊子に巻締めして補修折版屋根を構築する折版屋根補修工法において、既設折版屋根長の数分割に対応した長さに形成したカバー屋根板で、既設折版屋根の軒先側から棟側に向かって順次前記カバー屋根板を、端部が重さなるように階段状に屋根葺きを行うものであって、下段側の補修屋根を葺いて下段側の補修屋根の巻きハゼ部を形成した後、前記下段側の補修屋根と上段側の補修屋根とが軒棟方向に重なる重なり位置にある前記下段側の補修屋根の巻きハゼ部に対して、第一の吊子金具を装着し、前記重なり位置よりも棟側にある既設屋根の巻きハゼ部に、前記上段側の補修屋根の補修高さに対応する高さの第二の吊子金具を装着し、前記第一の吊子金具と第二の吊子金具に上段側の補修屋根を巻締し、上段側の補修屋根を葺いた後、上段側の補修屋根の軒先側開口部に雨止め面戸を装着してなることを特徴とするものである。
【０００９】
また本発明に係る折版屋根補修構造は、巻きハゼ部で隣接する長尺金属板を連結して形成している既設折版屋根の上面に、吊子を備えた吊子金具が装着され、補修用のカバー屋根板を前記吊子に巻締めされて補修折版屋根が構築されている折版屋根補修構造において、既設折版屋根長の数分割に対応した長さに形成した分割カバー屋根板で、既設折版屋根の軒先側から棟側に、下段側の補修屋根に上段側の補修屋根が段状に葺かれて軒棟方向に重なる重なり位置が形成され、前記重なり位置にある下段側の補修屋根の巻きハゼ部に、第一の吊子金具が装着され、前記重なり位置よりも棟側にある既設屋根の巻きハゼ部に、上段側の補修屋根の補修高さの第二の吊子金具が装着され、前記第一の吊子金具と第二の吊子金具に上段側の補修屋根板が巻締めされ、前記重なり部分の上段側の補修屋根の軒先側開口部に雨止め面戸が装着されていることを特徴とするものである。
【発明の効果】
【００１０】
本発明の構成は上記の通りで、補修対象の折版屋根の長さが長い場合でも、分割した適宜長さのカバー屋根板を使用して既設屋根全体を覆うことが可能で、補修作業の簡素化を実現するものである。
【図面の簡単な説明】
【００１１】
【図１】本発明の実施形態を示す全体図（補修終了状態）。
【図２】同施工途中の説明図。
【図３】施工後の断面図（補修屋根の上下段屋根の重なり部分）。
【図４】同面戸部材の斜視図。
【発明を実施するための形態】
【００１２】
次に本発明の実施形態について説明する。実施形態は既設折版屋根Ａを三段構成のカバー屋根（補修屋根）Ｂ１，Ｂ２，Ｂ３で補修する例を示したもので、補修に要する部材は、カバー屋根板１、高さの異なる三種の吊子金具２ａ，２ｂ，２ｃ、雨止め面戸３、雨返し面戸４である。
【００１３】
分割したカバー屋根板１は、既設折版屋根Ａの軒先から棟までの屋根長を三分割した長さに後述する重なり部分を考慮した長さとしたもので、既設折版屋根Ａに使用されている屋根板と同様に谷部１１の両側に山部１２の片側を形成して、両端にハゼ代１３を設けた部材である。
【００１４】
吊子金具２ａ，２ｂ，２ｃは、特許文献１，２に開示されている周知構成の部材で、金具本体２１と吊子２２ａ，２２ｂ，２２ｃの組み合わせで形成される。金具本体２１は、既設折版屋根Ａの頂部に配置され、適宜な対向部材を備えて既設折版屋根Ａの巻きハゼ部ａ（カバー屋根の巻きハゼ部も同様の構造）を挟持して金具本体２１を折版屋根Ａに固定する屋根装着部を設けたものであり、吊子２２ａ，２２ｂ，２２ｃは、頂部を折版屋根（カバー屋根）の巻きハゼ部の巻き芯となるように屈曲形成して、前記屈曲形成した部分が金具の頂部となるように金具本体２１に付設するものである。また前記吊子２２ａ，２２ｂ，２２ｃは、吊子頂部（屈曲部分）の形成位置の高さが相違し、低位の吊子金具（第一の吊子金具）２ａは、既設折版屋根Ａに対してカバー屋根Ｂ１をできるだけ低く構築できる吊子２２ａを採用し、中位吊子金具（第二の吊子金具）２ｂは、前記の低位吊子金具２ａの吊子頂部形成位置までの高さが二倍となる吊子２２ｂを使用し、高位吊子金具（第二の吊子金具）２ｃは低位吊子金具２ａの吊子頂部形成位置までの高さが三倍となる吊子２２ｃを使用したものである。
【００１５】
雨止め面戸３は、正面部３１を既設折版屋根Ａと構築されるカバー屋根との空隙形状に対応させ、正面部３１の側縁を背後に折曲して側面部３２を突設し、コの字状断面として強度を高めているものであり、特に両端部分は前記ハゼ部ａ，ｂ１，ｂ２の形状に対応した切欠部３３としたものである。
【００１６】
雨返し面戸４は、前記の雨止め面戸３と同様に正面部４１、側面部４２、切欠部４３を備えると共に、特に底辺と側辺外縁を前方に折り返して雨返し部４４を設けたものである。
【００１７】
而して本発明工法は、上記部材を使用してカバー屋根（補修屋根）Ｂ１，Ｂ２，Ｂ３を構築するもので、既設折版屋根Ａの軒先側において、低位吊子金具２ａを既設折版屋根Ａの巻きハゼ部ａに装着固定し、カバー屋根板１で既設折版屋根Ａを被覆すると共に、隣接するカバー屋根板１のハゼ代１３と共に吊子金具２ａの吊子２２ａに巻締ると共に、ハゼ代１３を互いに巻締めて下段のカバー屋根Ｂ１を構築する。
【００１８】
尚下段屋根Ｂ１の軒先処理は既折版設屋根Ａの軒先構築構造に対応して適宜に処置するもので、鼻隠しが存在していればそのままとし、例えば既存折版屋根Ａの軒先が面戸Ｃで構成されている場合は、雨止め面戸３を既設折版屋根Ａと下段のカバー屋根Ｂ１との間の空隙に装着する。
【００１９】
下段のカバー屋根Ｂ１を構築した後に、中段のカバー屋根Ｂ２を構築する。中段のカバー屋根Ｂ２は、軒先側を下段のカバー屋根Ｂ１の棟側端部と重なるように構築するもので、
前記の重なり部分における下段のカバー屋根Ｂ１の巻きハゼ部ｂ１に低位吊子金具２ａを装着し、前記の重なり部分より棟側の既設折版屋根Ａの巻きハゼ部ａに中位吊子金具２ｂを装着固定する。また下段のカバー屋根Ｂ１の棟側端に雨返し面戸４を装着しておく。
【００２０】
次にカバー屋根板１でカバー屋根Ｂ２の屋根葺きを行うもので、常法通りを前記吊子金具２ａ，２ｂにハゼ代１３を互いに巻締めて構築する。
【００２１】
さらに中段のカバー屋根Ｂ２の軒先端部には、下段のカバー屋根Ｂ１との空隙に雨止め面戸３を装着する。
【００２２】
上段のカバー屋根Ｂ３も構築もカバー屋根Ｂ２と同様で、軒先側が中段のカバー屋根Ｂ２の棟側端部と重なり、重なり部分の中段のカバー屋根Ｂ２の巻きハゼ部ｂ２に低位吊子金具２ａを装着し、前記の重なり部分より棟側の既設折版屋根Ａの巻きハゼ部ａに高位吊子金具２ｃを装着固定し、中段のカバー屋根Ｂ２の棟側端に雨返し面戸４を装着し、カバー屋根板１でカバー屋根Ｂ３の屋根葺きを行い、更に上段のカバー屋根Ｂ３の軒先部に雨止め面戸３を装着する。
【００２３】
このようにして分割して取り扱いやすいカバー屋根板１を使用して多段のカバー屋根（補修屋根）Ｂ１，Ｂ２，Ｂ３を構築して屋根の補修を実現するものである。
尚段数については、実施形態として３段構成を示したが、二段構成でも四段構成でも、更に何段でも任意に定めることができる。
【符号の説明】
【００２４】
Ａ      既設折版屋根
ａ      巻きハゼ部
Ｂ１，Ｂ２，Ｂ３    カバー屋根（補修屋根）
ｂ１，ｂ２    巻きハゼ部
Ｃ      既設面戸
１      カバー屋根板
１１    谷部
１２    山部
１３    ハゼ代
２ａ，２ｂ，２ｃ    吊子金具
２１      金具本体
２２ａ，２２ｂ，２２ｃ    吊子
３      雨止め面戸
３１    正面部
３２    側面部
３３    切欠部
４      雨返し面戸
４１    正面部
４２    側面部
４３    切欠部
４４    雨返し部
【図１】
0006923116.tif 000002
【図２】
0006923116.tif 000003
【図３】
0006923116.tif 000004
【図４】
0006923116.tif 000005